(57)【特許請求の範囲】
【請求項１】
シリンダーに差し込んだキーおよびサムターンが回動されることによってデッドボルトが出退される構成の鍵部材、に対して付設されるドアノブであって、
把持部と、
前記鍵部材に連結され、前記把持部を回転可能な状態で支持する接続部材と、
前記接続部材を支持する本体部と、
を備え、
前記本体部に、ドアの厚み方向に延びる溝部を形成し、前記接続部材を前記溝部と係合させることによって、前記接続部材を、ドアの厚み方向に向けてスライド可能に構成し、
前記把持部は、
ドアの厚み方向における外側に引っ張られることで、前記把持部と係合された前記接続部材が、前記溝部に沿ってドアの厚み方向における外側に変位されて、使用位置に配置されるとともに、
ドアの厚み方向における内側に押圧されることで、前記把持部と係合された前記接続部材が、前記溝部に沿ってドアの厚み方向における内側に変位されて、収納位置に配置され、
前記把持部および前記本体部は、
前記把持部が前記収納位置に変位されたときに、前記把持部と前記本体部が互いに隣接して配置されて一体となり、外観上一つの部材として認識される形態となる、
ことを特徴とするドアノブ。
【請求項２】
前記サムターンは、
前記接続部材によって支持され、
前記接続部材とともに、ドアの厚み方向に変位可能に構成され、
前記サムターンを、ドアの厚み方向における外側に引っ張ることで、前記把持部がドアの厚み方向における内側に変位されて、前記収納位置に配置されるとともに、
前記サムターンを、ドアの厚み方向における内側に押圧することで、前記把持部がドアの厚み方向における外側に変位されて、前記使用位置に配置される、
ことを特徴とする請求項１に記載のドアノブ。
【請求項３】
前記本体部は、
前記鍵部材の状態を表す表示灯を有し、
前記表示灯は、
前記把持部の回動によって前記デッドボルトが進出されたとき、前記鍵部材の施錠状態を表す色で点灯し、
前記把持部の回動によって前記デッドボルトが後退されたとき、前記鍵部材の解錠状態を表す色で点灯する、
ことを特徴とする請求項１または請求項２に記載のドアノブ。
【発明の詳細な説明】
【技術分野】
【０００１】
本発明は、収納型のドアノブの技術に関する。
【背景技術】
【０００２】
従来、破壊されにくいドアノブとしては以下の特許文献１に示されたものが知られている。特許文献１に示されたドアノブは、鍵穴がなくピッキングすることができないため、施錠部が破壊されることを防止できる。
【０００３】
しかしながら、特許文献１に示されたドアノブでは、ドアノブ自体が破壊されることは防止することができなかった。
【先行技術文献】
【特許文献】
【０００４】
【特許文献１】特開２００９−２６３８６６号公報
【発明の概要】
【発明が解決しようとする課題】
【０００５】
本願発明は、このような現状の課題を解決するためになされたものであり、ドアノブ自体の破壊を防止することができるドアノブを提供することを目的とする。
【課題を解決するための手段】
【０００６】
本発明の解決しようとする課題は以上の如くであり、次にこの課題を解決するための手段を説明する。
【０００７】
即ち、本発明に係るドアノブは、シリンダーに差し込んだキーおよびサムターンが回動されることによってデッドボルトが出退される構成の鍵部材、に対して付設されるドアノブであって、把持部と、前記鍵部材に連結され、前記把持部を回転可能な状態で支持する接続部材と、前記接続部材を支持する本体部と、を備え、前記本体部に、ドアの厚み方向に延びる溝部を形成し、前記接続部材を前記溝部と係合させることによって、前記接続部材を、ドアの厚み方向に向けてスライド可能に構成し、前記把持部は、ドアの厚み方向における外側に引っ張られることで、前記把持部と係合された前記接続部材が、前記溝部に沿ってドアの厚み方向における外側に変位されて、使用位置に配置されるとともに、ドアの厚み方向における内側に押圧されることで、前記把持部と係合された前記接続部材が、前記溝部に沿ってドアの厚み方向における内側に変位されて、収納位置に配置され、前記把持部および前記本体部は、前記把持部が前記収納位置に変位されたときに、前記把持部と前記本体部が互いに隣接して配置されて一体となり、外観上一つの部材として認識される形態となることを特徴とする。
【０００８】
また、本発明に係るドアノブにおいて、前記サムターンは、前記接続部材によって支持され、前記接続部材とともに、ドアの厚み方向に変位可能に構成され、前記サムターンを、ドアの厚み方向における外側に引っ張ることで、前記把持部がドアの厚み方向における内側に変位されて、前記収納位置に配置されるとともに、前記サムターンを、ドアの厚み方向における内側に押圧することで、前記把持部がドアの厚み方向における外側に変位されて、前記使用位置に配置されることを特徴とする。
【０００９】
また、本発明に係るドアノブにおいて、前記本体部は、前記鍵部材の状態を表す表示灯を有し、前記表示灯は、前記把持部の回動によって前記デッドボルトが進出されたとき、前記鍵部材の施錠状態を表す色で点灯し、前記把持部の回動によって前記デッドボルトが後退されたとき、前記鍵部材の解錠状態を表す色で点灯することを特徴とする。
【発明の効果】
【００１０】
本発明の効果として、以下に示すような効果を奏する。
【００１１】
本発明に係るドアノブによれば、ドアノブ自体が破壊されることを抑制することができる。
【図面の簡単な説明】
【００１２】
【図１】本発明の一実施形態に係るドアノブの全体構成を示す斜視模式図。
【図２】本発明の一実施形態に係るドアノブを示す正面視模式図。
【図３】本発明の一実施形態に係るドアノブを示す背面視模式図。
【図４】本発明の一実施形態に係るドアノブを示す平面視断面模式図。
【図５】本発明の一実施形態に係るドアノブの使用状態（開錠時）を示す斜視模式図。
【図６】本発明の一実施形態に係るドアノブの使用状態（施錠時）を示す斜視模式図。
【発明を実施するための形態】
【００１３】
次に、発明の実施の形態を説明する。
まず始めに、本発明の一実施形態に係るドアノブの全体構成について、図１から図３を用いて説明をする。
図１から図３に示すように、本発明の一実施形態に係るドアノブ１は、ドア５の施錠に用いる鍵部材３０（図４参照）に付設して使用されるものであり、本体部１０と把持部２０を備えている。
【００１４】
ドア５は、図１に示す矢印Ｘの方向に開閉可能に構成される開き戸である。
なお、本実施形態では、開き戸であるドア５にドアノブ１を用いる場合を例示しているが、ドアノブ１を使用することができるドアの種類はこれに限定されず、引き戸に対してもドアノブ１を使用することができる。
【００１５】
本体部１０は、第一本体部１１と第二本体部１２によって構成され、第一本体部１１はドア５の室外側に配置され、第二本体部１２はドア５を挟んで室内側に配置される。
把持部２０は、ドアノブ１における人が把持するための部位を構成するものであり、第一本体部１１に隣接して配置される。
【００１６】
ドアノブ１において、第一本体部１１と把持部２０は、第一本体部１１と把持部２０がに隣接している状態で、一体となる形状を有しており、第一本体部１１と把持部２０が互いに隣接して配置される状態（把持部２０が後述する収納位置Ｑに配置される状態）において、外観上一つの部材として認識される形態を有している。
【００１７】
鍵部材３０は、ドア５を施錠および開錠するための部材であり、シリンダー３１、サムターン３２、デッドボルト３３（図４参照）を備えている。鍵部材３０は、シリンダー３１に挿し込んだキー（図示せず）あるいはサムターン３２を回すことでデッドボルト３３を出入りさせることができるように構成している。
そして、ドア５は、ドア５に対応する枠（図示せず）に設けられたアーマープレート（図示せず）に、鍵部材３０のデッドボルト３３を係合させることで施錠される。
【００１８】
ドアノブ１は、さらに表示灯１３を備えている。
表示灯１３は、ドア５の施錠状態を表示するためのものであり、第一本体部１１に設けられている。
なお、本実施形態では、表示灯１３としてＬＥＤ表示灯を採用している。
【００１９】
ここで、本発明の一実施形態に係るドアノブ１の構造について、図４および図５を用いてさらに詳細に説明をする。
【００２０】
ドアノブ１を構成する第一本体部１１は、ドア５（図１参照）の厚み方向に向けて延びる溝部１１ａを備えている。
【００２１】
ドアノブ１は、溝部１１ａに係合する接続部材１４をさらに備えており、該接続部材１４は、第一本体部１１の溝部１１ａに沿って、ドア５の厚み方向にスライドすることができるように構成される。
【００２２】
また、接続部材１４は、溝部１１ａに係合された状態において、ドア５の厚み方向に突出する軸部１４ａを備えており、把持部２０に形成された孔部２０ａに、接続部材１４の軸部１４ａをはめ合わせる構成としている。
ドアノブ１では、接続部材１４によって、把持部２０が支持されるとともに、接続部材１４の軸部１４ａによって、該軸部１４ａの周りに把持部２０を回転させることができるように構成している。
そして、ドアノブ１においては、図５に示すように、把持部２０が、第一本体部１１に比してドア５の厚み方向における外側に変位することができるように構成されている。
尚、把持部２０の、第一本体部１１に比してドア５の厚み方向における外側に変位しているときの位置を使用位置Ｐと呼ぶ。また、把持部２０がドア５の厚み方向における外側に変位して、第一本体部１１と隣接しているときの位置を収納位置Ｑと呼ぶ。
【００２３】
さらに、接続部材１４は、シリンダー３１を介して、第二本体部１２のサムターン３２に連結されている。
【００２４】
ドアノブ１において、サムターン３２は、接続部材１４に変位に伴って、ドア５の厚み方向へ変位することができるように構成されており、把持部２０が、ドア５の厚み方向における外側に変位している状態で、サムターン３２を把持部２０の変位方向と逆の方向に引くことによって、把持部２０をドア５の厚み方向における内側向きに変位させて、収納位置Ｑに配置することができるように構成している。
【００２５】
さらに、ドアノブ１は、鍵部材３０のシリンダー３１に連動して作動する押圧機構１５を備えており、シリンダー３１にキー（図示せず）を挿し込み解錠方向に回すことによって、押圧機構１５によって接続部材１４を押圧して、接続部材１４をドア５の厚み方向における外側に変位させることができるように構成している。
そして、ドアノブ１では、シリンダー３１にキー（図示せず）を挿し込み解錠方向に回すことによって、接続部材１４がドア５の厚み方向における外側に変位され、把持部２０がドア５の厚み方向における外側の使用位置Ｐに変位されるように構成している。
【００２６】
把持部２０は、第一本体部１１よりも外側に変位した状態（即ち、使用位置Ｐ）において、図２における時計回りの方向に回動して、長さ方向を水平方向に向けることができ、把持部２０を水平方向の向きまで回動させることによってデッドボルト３３が退き、ドア５が開錠される。
【００２７】
また、把持部２０は、長さ方向が水平方向に向けられた状態から、図２における反時計回りに回動させることによって、長さ方向を鉛直上方向に向けることができ、把持部２０を鉛直上向きまで回動させることによってデッドボルト３３が突出され、ドア５が施錠される。
さらに、把持部２０は、長さ方向を鉛直上方向の向けた状態において、ドア５の厚み方向における内側向きに押圧して変位させることができ、これにより第一本体部１１に隣接する収納位置Ｑ（図６参照）に収納することができる。
なお、把持部２０は、収納位置Ｑに配置された状態で、図示しない係止機構によって係止され、収納位置Ｑに配置された状態が維持される。また、前記係止機構は、サムターン３２またはキーによる解錠動作によって係止状態が解除されるように構成され、把持部２０が収納位置Ｑから使用位置Ｐに変位可能な状態となるように構成している。なお、係止機構としては、たとえば、シリンダー３１の回転に連動して変位するラッチと、把持部２０に形成したノッチを係合させる構成とした機構等が採用し得る。
【００２８】
ここで、本発明の一実施形態に係るドアノブ１の使用状況について、図５および図６を用いて説明をする。
【００２９】
人が室内から室外に出るときには、サムターン３２を解錠方向に回すことで、係止機構（図示せず）による把持部２０の係止状態が解除されるとともに、押圧機構１５が作動して、把持部２０が使用位置Ｐに変位されるとともに、さらに、デッドボルト３３（図４参照）が退き、ドア５（図１参照）が開錠されるとともに、把持部２０が水平向きになる。
なお、本実施形態では、サムターン３２の解錠動作によって、シリンダー３１に連動する押圧機構１５を作動させて、把持部２０を使用位置Ｑに変位させる構成としているが、サムターン３２を押し込むことで、把持部２０を使用位置Ｑに変位させる構成としてもよい。
【００３０】
人が退室した後、把持部２０の長さ方向が水平向きの状態において、把持部２０を、長さ方向が鉛直上向きとなる方向へ回すと、鍵部材３０（図４参照）のデッドボルト３３が突出して施錠される。
【００３１】
ドアノブ１では、デッドボルト３３が突出したときにＬＥＤ表示灯１３が数秒間、赤色で点灯するように構成しており、施錠されたことを容易に確認することができる。
そして、把持部２０を収納位置Ｑに押し込むことで、把持部２０が係止機構（図示せず）によって係止されて収納位置Ｑに位置され、第一本体部１１と把持部２０が一体形状となって、外観上把持部２０と第一本体部１１の区別ができない形態となる。
このように、ドアノブ１では退室時にキー（図示せず）がなくても、施錠をすることができる。
【００３２】
ドアノブ１は、把持部２０が収納位置Ｑに位置するとき、外観上把持部２０と第一本体部１１の区別ができなくなり、ドアノブ１の構造を知らない者は、把持部２０の存在を知覚することが困難になるため、ドアノブ１の構造を知らない者にとって、把持部２０を破壊することが困難になる。
【００３３】
人が室外から室内に入るときには、鍵部材３０のシリンダー３１にキー（図示せず）を挿し込み解錠方向に回すと、係止機構（図示せず）による把持部２０の係止状態が解除されるとともに、押圧機構１５（図４参照）が作動し、接続部材１４（図４参照）が押圧され溝部１１ａ（図４参照）をスライドし、把持部２０が収納位置Ｑから、ドア５の厚み方向における外側の使用位置Ｐに変位される。
そして、把持部２０を、長さ方向が鉛直上向きから水平向きとなるまで回すと、デッドボルト３３が退きドア５が開錠される。
【００３４】
ドアノブ１では、デッドボルト３３が退くと、ＬＥＤ表示灯１３が数秒間、緑色で点灯するように構成しており、開錠されたことを容易に確認することができる。
【００３５】
人が入室した後、第二本体部１２（図４参照）のサムターン３２を施錠方向に回すことで、把持部２０が回転して、長さ方向が鉛直上向きとなり、この状態からさらに、サムターン３２を引くことで、接続部材１４がスライドし、接続部材１４に支持された把持部２０が、収納位置Ｑに変位されるとともに係止機構（図示せず）によって係止され、第一本体部１１と把持部２０が一体となる。
【００３６】
このように、ドアノブ１では入室時の施錠動作によって把持部２０を収納位置Ｑに位置させることができ、外観上把持部２０と第一本体部１１の区別ができなくなり、把持部２０を破壊することが困難になる。
【００３７】
即ち、本発明の一実施形態に係るドアノブ１は、シリンダー３１に差し込んだキー（図示せず）およびサムターン３２が回動されることによって、デッドボルト３３が出退される構成の鍵部材３０に付設するドアノブ１であって、把持部２０と、鍵部材３０に連結され、把持部２０を回転可能な状態で支持する接続部材１４と、接続部材１４を支持する本体部１０（第一本体部１１および第二本体部１２）と、を備え、第一本体部１１に、ドア５の厚み方向に延びる溝部１１ａを形成し、接続部材１４を溝部１１ａと係合させることによって、接続部材１４を、ドア５の厚み方向に向けてスライド可能に構成し、把持部２０は、ドア５の厚み方向における外側に引っ張られることで、把持部２０と係合された接続部材１４が、溝部１１ａに沿ってドア５の厚み方向における外側に変位されて、使用位置Ｐに配置されるとともに、ドア５の厚み方向における内側に押圧されることで、把持部２０と係合された接続部材１４が、溝部１１ａに沿ってドア５の厚み方向における内側に変位されて、収納位置Ｑに配置され、把持部２０および第一本体部１１は、把持部２０が収納位置Ｑに変位されたときに、把持部２０と第一本体部１１が一体となる形状を有するものである。
このようなドアノブ１は、把持部２０の存在が知覚されにくいため、ドアノブ１自体が破壊されることを抑制することができる。
【００３８】
また、本発明の一実施形態に係るドアノブ１において、把持部２０は、収納位置Ｑにおいて本体部１０と一体になることで、本体部１０によって回転が規制されるとともに、使用位置Ｐにおいて、本体部１０による回転の規制が解除され、使用位置Ｐに配置された把持部２０が回動されることによって、接続部材１４を介してデッドボルト３３を出退させるものである。
このように構成したドアノブ１は、把持部２０の回動によって施錠が行えるため、キーがなくても施錠することができる。
【００３９】
さらに、本発明の一実施形態に係るドアノブ１において、サムターン３２は、接続部材１４によって支持され、接続部材１４とともに、ドア５の厚み方向に変位可能に構成され、サムターン３２を、ドア５の厚み方向における外側に引っ張ることで、把持部２０がドア５の厚み方向における内側に変位されて、収納位置Ｑに配置されるとともに、サムターン３２を、ドア５の厚み方向における内側に押圧することで、把持部２０がドア５の厚み方向における外側に変位されて、使用位置Ｐに配置されるものである。
このように構成したドアノブ１は、サムターン３２により把持部２０が変位されるため、サムターン３２の操作によって、把持部２０と第一本体部１１が一体となるように変位させることができる。
【００４０】
また、本発明の一実施形態に係るドアノブ１において、本体部１０は、鍵部材３０の状態を表す表示灯１３を有し、表示灯１３は、把持部の回動によってデッドボルトが進出されたとき、鍵部材３０の施錠状態を表す色で点灯し、把持部２０の回動によってデッドボルト３３が後退されたとき、鍵部材３０の解錠状態を表す色で点灯するものである。
このように構成したドアノブ１は、表示灯１３によって施錠状態および開錠状態を喚起されるため、施錠および開錠を容易に確認することができる。
【符号の説明】
【００４１】
１      ドアノブ
５      ドア
１０    本体部
１１    第一本体部
１１ａ  溝部
１２    第二本体部
１３    表示灯
１４    接続部材
１４ａ  軸部
１５    押圧機構
２０    把持部
２０ａ  孔部
３０    鍵部材
３１    シリンダー
３２    サムターン
３３    デッドボルト
Ｐ      使用位置
Ｑ      収納位置
【要約】      （修正有）【課題】ドアノブ自体の破壊を抑制することができるドアノブを提供する。【解決手段】把持部２０と、接続部材と、接続部材を支持する第一本体部１１と、を備え、第一本体部１１に、ドアの厚み方向に延びる溝部を形成し、接続部材を溝部と係合させることによって、接続部材をスライド可能に構成し、把持部は、ドアの厚み方向における外側に引っ張られることで、接続部材が、溝部に沿ってドアの厚み方向における外側に変位されて、使用位置Ｐに配置されるとともに、ドアの厚み方向における内側に押圧されることで、接続部材が、溝部に沿ってドアの厚み方向における内側に変位されて、収納位置Ｑに配置され、把持部および第一本体部は、把持部が収納位置Ｑに変位されたときに一体となる形状を有する。【選択図】図５【図１】
0005820083.tif 000002
【図２】
0005820083.tif 000003
【図３】
0005820083.tif 000004
【図４】
0005820083.tif 000005
【図５】
0005820083.tif 000006
【図６】
0005820083.tif 000007